(57)【要約】【課題】  設置部とカバーとの間に無用の隙間を生ずること等を防止できる、カバーの取付構造を提供する。【解決手段】  壁部１（設置部）の表面１ａ側に配置され、一端部（１次側の接続部１１）が元配管の端末部３Ａ（３Ｂ）に接続され、他端部（２次側の接続部１２）が水栓本体７に接続された状態で、元配管の端末部３Ａ、３Ｂと水栓本体７との間に介在される接続具１０Ａ、１０Ｂに対し、壁部１の表面１ａ側においてカバー２０Ａ、２０Ｂを取り付けて構成されるカバーの取付構造Ｔである。カバー２０Ａ、２０Ｂが、バネ部材５０Ａ、５０Ｂによって設置部（壁部１）の表面１ａ側へ付勢され、カバー２０Ａ、２０Ｂが、壁部１に圧接されている。【選択図】      図１
2005290663.tif 000002
【特許請求の範囲】
【請求項１】
所定の設置部の表面側に配置されると共に一端部が元配管の端末部に接続され、他端部が所定の水栓本体に接続された状態で、該元配管の端末部と該水栓本体との間に介在される接続具に対し、前記設置部の表面側において所定のカバーを取り付けて構成されるカバーの取付構造であって、
前記カバーを、前記設置部に対して圧接させたことを特徴とするカバーの取付構造。
【請求項２】
所定の設置部の表面側に配置されると共に一端部が元配管の端末部に接続され、他端部が所定の水栓本体に接続された状態で、該元配管の端末部と該水栓本体との間に介在される接続具に対し、前記設置部の表面側において所定のカバーを取り付けて構成されるカバーの取付構造であって、
前記接続具と前記カバーとの間に所定の付勢手段を介在させ、該付勢手段によて前記カバーを前記設置部の方向へ付勢し、前記カバーを前記設置部に圧接させたことを特徴とするカバーの取付構造。
【請求項３】
前記付勢手段は、バネ部材であることを特徴とする請求項２に記載のカバーの取付構造。
【請求項４】
前記カバーは、略円筒形、略円錐形、略円錐台形、若しくは、略箱形状の外形を備え、前面部及び後面部に開口部を形成すると共に、
側辺に沿って分割される複数の分割体を、着脱自在に組み合わせて構成されることを特徴とする請求項１乃至請求項３の何れかに記載のカバーの取付構造。
【請求項５】
前記接続具に配置された水栓関連部品の操作及び着脱のうちの少なくとも一方を行うための開口部を、前記カバーの下部に形成したことを特徴とする請求項１乃至請求項４の何れかに記載のカバーの取付構造。
【発明の詳細な説明】
【技術分野】
【０００１】
本発明は、カバーの取付構造に関し、具体的には、「水栓本体と元配管の端末部との間に介在される接続具を被覆するカバー」の取付構造に関する。
【背景技術】
【０００２】
水栓を所定の設置部に設置する際に、その水栓本体（つまり、吐止水選択用の弁装置や、温度調節用の弁装置を内蔵する水栓の本体部分）と、この設置部の周囲に到達した「元配管（例えば、給水用の元配管や給湯用の元配管）」の端末部と、の間の接続具を介在させることがある。例えば、水栓を壁部に設置する際に、壁部の裏面側に敷設された元配管の端末部を、壁部まで取り出す。
【０００３】
更に、ソケット（接続具の一具体例）の一端部を、壁部の表面側（前方側）から元配管の端末部に接続すると共に、ソケットの他端部を水栓本体に接続する。これにより、水栓本体は接続具を用いて壁部に支持されると共に、元配管の端末部から水栓本体への給水や給湯が可能となる。そして、この種の設置部においては、接続具を所定のカバーで被覆し、美観の向上等を図ることがある。
【０００４】
ところが、この種のカバーを取り付けた場合、接続具の施工誤差等が原因となり、取付後のカバーと、壁部との間に無用の隙間を生じ、設置部の周囲の美観を低下させる等の不具合を生ずることがある。このため、この種のカバーを取り付ける際の利用される「カバーの取付構造」において、この施工誤差を吸収することを意図した改良がなされている。
【０００５】
例えば、接続具に溝を形成すると共に、この溝に係合、スライドする爪部をカバーに形成し、カバーを壁部側と水栓本体側の前後にスライド自在とした取付構造が提案されている（特許文献１参照、以下、「従来例１」という。）。また、接続具において壁部表面側に露出するネジ部に対して、回転自在にフランジを螺合し、このフランジを覆うようにカバーを装着する。そして、カバーを回転させることで、フランジを接続具のネジ部に沿って螺旋回転させて壁部側にスライドさせ、フランジをカバーの内側に設けた突起部に対して壁部方向へ圧接させ、フランジと壁部とで突起部を挟持し、カバーを固定する取付構造も提案されている（特許文献２参照、以下、「従来例２」という。）。
【特許文献１】特開２００３−６４７３８号公報
【特許文献２】特開２００３−５６０２３号公報
【発明の開示】
【発明が解決しようとする課題】
【０００６】
しかし、従来例１では、カバーの取付作業の際、接続具を基準にカバーを壁部方向へ押し込むことが必要なため、カバーの取付作業が煩雑である。また、取付後のカバーが、不用意に前方へスライドし、カバーの後端部と壁部との間に無用の隙間を生ずることがある。このため、壁部（設置部）周辺の美観を低下させたり、カバーに「がたつき」を生ずることがある。
【０００７】
また、従来例２では、取付構造が複雑であるばかりか、カバーの取付作業が煩雑なものとなる。つまり、カバーの取付作業の際に、作用者がカバーの回転量（フランジの締め込み量）を手探りで判断することが必要であるからである。しかも、カバーの取付作業の際に、カバーの回転量（フランジの締め込み量）に過不足を生じ易いため、以下のような問題を生ずることがある。即ち、カバーの回転量（フランジの締め込み量）が過量となり、突起部に破壊を生ずることがある。若しくは、カバーの回転量（フランジの締め込み量）が不足し、カバーの後端部と壁部との間に無用の隙間を生じさせ、壁部（設置部）周辺の美観の低下や、カバーの「がたつき」を生じさせることがある。
【０００８】
本発明は、上述の課題を解決するものであり、設置部とカバーとの間に無用の隙間を生じさせることを防止できると共に、構成が簡便で、しかも、施工が容易な、カバーの取付構造を提供すること目的とする。
【課題を解決するための手段】
【０００９】
請求項１の発明のカバーの取付構造は、
所定の設置部の表面側に配置されると共に一端部が元配管の端末部に接続され、他端部が所定の水栓本体に接続された状態で、該元配管の端末部と該水栓本体との間に介在される接続具に対し、前記設置部の表面側において所定のカバーを取り付けて構成されるカバーの取付構造であって、
前記カバーを、前記設置部に対して圧接させたことを特徴とする。
【００１０】
請求項１の発明では、カバー（特に、後端部）を設置部に押し付けつつ、接続具に取り付ける。このため、取付後のカバーと、設置部との間に隙間を生ずることを防止できる。よって、請求項１の発明によると、設置部の周囲（特に、カバーの取付構造）の美観の向上を図ることができると共に、取付後のカバーに「がたつき」を生ずることを防止できる。しかも、この取付構造は、カバー（特に、後端部）を設置部に押し付けつつ、接続具に取り付けるという、簡便な構成を備えると共に、その施工も容易である。
【００１１】
請求項２の発明のカバーの取付構造は、
所定の設置部の表面側に配置されると共に一端部が元配管の端末部に接続され、他端部が所定の水栓本体に接続された状態で、該元配管の端末部と該水栓本体との間に介在される接続具に対し、前記設置部の表面側において所定のカバーを取り付けて構成されるカバーの取付構造であって、
前記接続具と前記カバーとの間に所定の付勢手段を介在させ、該付勢手段によて前記カバーを前記設置部の方向へ付勢し、前記カバーを前記設置部に圧接させたことを特徴とする。
【００１２】
請求項２の発明においては、カバー（特に、後端部）を付勢手段の付勢力で設置部に押し付けつつ、接続具に取り付ける。このため、請求項２の発明においても、取付後のカバーと、設置部との間に隙間を生ずることを防止できる。よって、請求項２の発明によっても、設置部の周囲（特に、カバーの取付構造）の美観の向上を図ることができると共に、取付後のカバーに「がたつき」を生ずることを防止できる。しかも、この取付構造は、カバー（特に、後端部）を付勢手段の付勢力で設置部に押し付けつつ、接続具に取り付けるという、簡便な構成を備えると共に、その施工も容易である。
【００１３】
各請求項の発明の「設置部」としては、例えば、壁部の他に、デッキ部（台部ともいう。）、カウンター部（例えば、カウンター部の上面部や前面部等）等を例示できる。また、各請求項の発明の「接続具」としては、例えば、略クランク状、略Ｌ字状、略くの字状、若しくは、略直管状等に構成される接続具（所謂、ソケット）を例示できる。更に、各請求項においては、カバーが、接続具及び設置部のうちの少なくとも一方に固定されてもよし、カバーが接続具及び設置部のうちの何れにも固定されない状態とされてもよい。後者の態様（固定されない態様）としては、例えば、カバーが直接、若しくは、他の部材（例えば、後述するバネ部材）を介して接続具に単に支持されている状態を例示できる。
【００１４】
各請求項の発明の適用対象となるの水栓が、単水栓である場合（水栓本体が単水栓用の水栓本体である場合）には、例えば、１つの「元配管の端末部」と、水栓本体との間に、１つの接続具を介在させる。この場合、この１つの接続具にカバーを取り付ける際に、各請求項の発明を適用できる。尚、この場合、単水栓は、水の吐水を行うものであっても、接続具よりも１次側で予め温度調節された湯の吐水を行うものであってもよい。
【００１５】
各請求項の発明の適用対象となるの水栓が、湯水混合水栓である場合（水栓本体が湯水混合の水栓本体である場合）には、給湯用の「元配管の端末部」と水栓本体との間に給湯用の接続具が介在され、給水用の「元配管の端末部」と、水栓本体との間に給水用の接続具が介在される。この場合、各接続具に各カバーを取り付けて各「カバーの取付構造」を構成したり、一方の接続具のみ（例えば、高温になり易い、給湯用の接続具）にカバーを取り付て「カバーの取付構造」を構成してもよい。そして、これらの「カバーの取付構造」に、各請求項の発明を適用してもよい。尚、給湯用の接続具と給水用の接続具との双方を単一のカバーで被覆すると共に、このカバーと、接続具（一方の接続具でも、双方の接続具であってもよい。）との間に、各請求項の発明を適用を適用してもよい。
【００１６】
請求項２の発明の付勢手段」としは、後述する「バネ部材（請求項３）」の他に、ゴム、樹脂発泡体等の種々の弾性部材を例示できる。尚、請求項２の発明の「付勢手段」は、カバーと別体であってもよし、カバーの一部を構成（カバーの内壁面から突出する付勢手段）してもよい。
【００１７】
各請求項の発明において、元配管の端末部と設置部との位置関係は特に限定されない。例えば、（１）元配管の端末部が設置部の裏面側に配置されると共に、設置部に設けられた取付孔を通じて、接続具の一端部を設置部の表面側から裏面側に挿入して、元配管の端末部と接続具の一端部とを接続する態様、（２）元配管の端末部を、設置部に設けられた取付孔に設置部の裏面側から挿入すると共に、接続具の一端部を設置部の表面側から取付孔に挿入し、取付孔内で、元配管の端末部と接続具の一端部とを接続する態様、（３）元配管の端末部を設置部の裏面側から設置部に設けられた取付孔を通じて、設置部の表面側に到達させ、接続具の一端部を設置部の表面側で、元配管の端末部と接続する態様、（４）元配管の端末部を設置部の表面側に配置する（例えば、壁部前方の床面から、元配管の端末部を立ち上げる態様）と共に、接続具の一端部を設置部の表面側で元配管の端末部と接続する態様、等を例示できる。
【００１８】
請求項３の発明のカバーの取付構造は、請求項２に記載のカバーの取付構造において、
前記付勢手段は、バネ部材であることを特徴とする。
【００１９】
請求項３の発明では、付勢手段を構造が簡便なバネ部材で構成する。しかも、請求項３の発明によると、付勢手段がカバーと別体のバネ部材で構成されるため、カバー自体には付勢手段を設ける必要がない。よって、請求項３の発明によると、付勢手段及びカバーの構造を簡便なものとして、「カバーの取付構造」の構成を更に簡便なものとできる。
【００２０】
請求項３の発明の「バネ部材」としては、例えば、板バネ、つる巻きバネ等を例示できる。また、バネ部材を、接続具とカバーとの間に介在させるための手法も種々選択できる。例えば、（１）カバーにバネ部材を固定若しくは係止した状態でカバーを接続具に取り付けて介在させる手法、（２）接続具にバネ部材を固定若しくは係止した状態で、カバーを接続具に取り付けて介在させる手法、（３）カバーを接続具に取り付けた後に、バネ部材を接続具に固定若しくは係止すると共にカバーに固定若しくは係止する手法等、を例示できる。
【００２１】
ここで、「固定」の方法としては、接続具やカバーの所定部位（特に、凹部、溝部、凸部等で構成することが望ましい。）に対して、バネ部材の弾性変形に伴う復元力や、バネ部材の塑性変形（カシメ等）を用いて固定する方法や、接続具やカバーの所定部位に対して、別途の固定手段（接着剤や止めネジ等）を用いて固定する態様等を例示できる。また、「係止」の方法としては、接続具やカバーの所定部位（特に、凹部、溝部、凸部等に構成することが望ましい。）に対して、バネ部材を係止する態様を例示できる。但し、固定と係止の境界は必ずしも明らかではなく、バネ部材を接続具やカバーの所定部位に係止すると、このバネ部材が同時に当該所定部位に固定されてもよい。
【００２２】
請求項４の発明のカバーの取付構造は、請求項１乃至請求項３の何れかに記載のカバーの取付構造において、
前記カバーは、略円筒形、略円錐形、略円錐台形、若しくは、略箱形状の外形を備え、前面部及び後面部に開口部を形成すると共に、
側辺に沿って分割される複数の分割体を、着脱自在に組み合わせて構成されることを特徴とする。
【００２３】
請求項４の発明では、以下の点に鑑みてなされたものである。即ち、請求項１〜請求項３のカバーには、例えば、底面等に開放部を有し、この開放部に接続具を通過させつつ、接続具に装着されるものも含まれる。しかし、請求項４の発明のカバーのように、接続具の略全周を抱囲する状態に構成すると（以下、「全周型のカバー」という。）、設置部の周囲（特に、カバーの取付構造）の美観が更に向上する。
【００２４】
ところで、全周型のカバーにおいて、その着脱作業の容易化を図る上では、このカバーを２つの以上の分割体（カバー体）で構成することが有効であるが、このカバーの分割線の位置（分割体の合わせ面の位置）が目立ち易い箇所（上部等）に存在すると、「カバーの取付構造」の美観が却って低下する。このため、請求項４の発明は、分割線の位置（カバー体の合わせ面の位置）を、目立ち難い「側部」に配置する。しかも、カバーの側部を、正しい方向に向けることを、請求項１〜請求項３の発明によって担保する。
【００２５】
即ち、前述の従来例２の「カバーの取付構造」を、分割体（カバー体）で構成される全周型のカバーに適用すると以下のような問題を生ずる。従来例２において、カバーを接続具に取り付ける際にカバーに加える回転量は、接続具の施工誤差に応じて決定される。このため、カバーの「回転中心回りの姿勢」が、フランジを締め切った状態で予定通りの姿勢になるとは限らない。つまり、接続具の施工誤差に応じて、分割線が上方や斜め上方等の予定外の方向を向き、カバーの美観を確保できないことがある。尚、従来例２において、分割線を、強引に予定通りの方向に向けようとするならば、カバーに加える回転量（フランジの締め込み量）に過不足を生ずる。そして、カバーに加える回転量が過量（フランジの締め込み量が過量）となると、カバーの突起部に過大な応力が加わり、突起部に破損、無用の変形を生ずる可能性がある。逆に、カバーに加える回転量が不足（フランジの締め込み量が不足）すると、壁部との間に無用の隙間を生じたり、カバーに「がたつき」を生ずる等の不具合を生ずる可能性がある。
【００２６】
これに対し、請求項４の発明によると、カバーを取り付ける際に、カバーに回転を加える必要がないため、従来例２に示すような問題点を生ずることはない。つまり、カバーを、設置部に的確に圧接しつつも、分割線の位置（カバー体の合わせ面の位置）を、確実に、目立ち難い「側部」に配置して、設置部の周囲（特に、カバーの取付構造）の美観の向上を図ることができる。
【００２７】
請求項４の発明では、例えば、（ａ）接続具の一端部と元配管の端末部との接続部分（以下、「１次接続部分」という。）、及び、接続具の他端部と水栓本体との接続部分（以下、「２次側接続部分」という。）をカバー外に配置してもよいし、（ｂ）「１次接続部分」及び「２次側接続部分」の双方をカバー内に配置してもよいし、（ｃ）「１次接続部分」及び「２次側接続部分」のうちの一方をカバー外に配置し、他方をカバー内に配置してもよい。尚、（ａ）の態様を更に具体的に述べると、接続具の一端部側を「カバーの後面部（後端部）の開口部」から露呈させ、接続具の他端部側をカバーの「前面部（前端部）の開口部」から露呈させ、接続具の他の部分（一端部側及び他端部側を除く、全域）を、カバーで被覆すると共に、カバーの後面部（後端部）の開口部を設置部に圧接させる態様を例示できる。
【００２８】
請求項５の発明のカバーの取付構造は、請求項１乃至請求項４の何れかに記載のカバーの取付構造において、
前記接続具に配置された水栓関連部品の操作及び着脱のうちの少なくとも一方を行うための開口部を、前記カバーの下部に形成したことを特徴とする。
【００２９】
請求項５の発明によると、水栓関連部品の操作性を向上（つまり、カバーを装着したままの状態で操作できる。）させたり、水栓関連部品のメンテナンス（交換したり、手入れ等を行うこと）のための作業性を向上させることができる。しかも、開口部が目立ち難い「カバーの下部」に形成されるため、この開口部によって、「カバーの取付構造」の美観を低下させることはない。
【００３０】
ここで、請求項５の発明の「水栓関連部品」としては、例えば、（ａ）接続具内の内部流路（例えば、一端部側から他端部側へ至る流路）に配置される「止水栓」、（ｂ）この内部流路に配置される「ストレーナ（フィルター）」、（ｃ）この内部流路に配置される「逆止弁」、（ｄ）この内部流路に配置されると共に、「止水栓」、「ストレーナ（フィルター）」及び「逆止弁」の２つ以上を一体的に備える「ユニット」等を例示できる。
【発明の効果】
【００３１】
以上のように、本各発明のカバーの取付構造によると、設置部とカバーとの間に無用の隙間を生じさせることを防止できる。また、本各発明のカバーの取付構造は、構成が簡便で、しかも、施工が容易である。
【発明を実施するための最良の形態】
【００３２】
次に、本各発明に係わる「カバーの取付構造（以下、「取付構造」という。）の最良の形態（以下、「実施例」という。）を図面に従って詳細に説明する。
【００３３】
本取付構造Ｔは、図１に示すように、所定の接続具１０Ａ、１０Ｂに対して、バネ部材５０Ａ、５０Ｂを用いつつ、カバー２０Ａ、２０Ｂを取り付けて構成されるものである。
【００３４】
本実施例では、設置部の具体例として壁部１を例示している。この壁部１の裏面１ｂ側には給湯用の元配管の端末部３Ａと、給水用の元配管の端末部３Ｂとが到達している。そして、壁部１の横方向に所定間隔だけ隔てた位置には、給湯用の取付孔２Ａと給水用の取付孔２Ｂとが設けられている。また、給湯用の取付孔２Ａには、壁部１の裏面１ｂ側から給湯用の元配管の端末部３Ａが挿入されている。更に、給水用の取付孔２Ｂには、壁部１の裏面１ｂ側から給水用の元配管の端末部３Ｂが挿入されている。尚、給湯用の元配管の端末部３Ａ及び給水用の元配管の端末部３Ｂは、本管部分（壁部１の裏面１ｂ側に配置されているが、図示を省略する。）と、その終端部に装着された「アダプター３２」とによって構成されている。
【００３５】
また、本実施例では、本取付構造Ｔの湯水混合水栓への適用例を示している。この「湯水混合水栓の水栓本体７」は、給湯用の接続部７Ａと、給水用の接続部７Ｂとを横方向に並べて配置している。そして、給湯用の接続部７Ａと、給湯用の元配管の端末部３Ａ（給湯用のアダプター３２）との間には、「給湯用の接続具１０Ａ」を配置すると共に、この「給湯用の接続具１０Ａ」に、給湯側のカバー２０Ａを取り付けている。また、給水用の接続部７Ｂと、給水用の元配管の端末部３Ｂ（給水用のアダプター３２）との間には、「給水用の接続具１０Ｂ」を配置すると共に、この「給水用の接続具１０Ｂ」に、給水側のカバー２０Ｂを取り付けている。
【００３６】
このように、本実施例の本取付構造Ｔは、給湯用の接続具１０Ａと給湯側のカバー２０Ａとの間に適用されると共に、給水用の接続具１０Ｂと給水側のカバー２０Ｂとの間に適用される。尚、「給湯用の元配管の端末部３Ａ」及び「給水用の元配管の端末部３Ｂ」、「給湯用の接続具１０Ａ及び給水用の接続具１０Ｂ」、「給湯側のカバー２０Ａ及び給水側のカバー２０Ｂ」は、何れも同一の構成を備え、これらに適用される取付構造Ｔ、Ｔも同一の構成を備える。
【００３７】
次に、本取付構造Ｔの構成部材について説明する。先ず、接続具１０Ａ（１０Ｂ）は、図１に示すように、一端部を元配管の端末部３Ａ（３Ｂ）に接続される接続部（以下、「１次側の接続部」という。）１１とし、他端部を水栓本体７の接続部７Ａ（７Ｂ）に接続される接続部（以下、「２次側の接続部」という。）１２としている。この接続具１０Ａ（１０Ｂ）では、図１〜図３に示すように、１次側の接続部１１の周面に雄ねじ部１１ａを形成し、２次側の接続部１２の周面に袋ナット１２ａを装着している。
【００３８】
この接続具１０Ａ（１０Ｂ）では、図３に示すように、その内部に、１次側の接続部１１から２次側の接続部１２に至る「流路１３」を備える。また、この流路１３は、３つの屈曲部１３ａ、１３ｂ、１３ｃを備えると共に、４つの直線的な流路部分を連結した構成を備える。つまり、（ａ）１次側の接続部１１から屈曲部１３ａ（最も１次側の屈曲部）に至る略水平な流路部分（以下、「第１流路部分」という。）と、（ｂ）屈曲部１３ａからその２次側に隣接する屈曲部１３ｂに至る略下り傾斜状の流路部分（以下、「第２流路部分」という。）１４ａと、（ｃ）屈曲部１３ｂからその２次側に隣接する屈曲部１３ｃの方向に上昇する流路部分（以下、「第３流路部分」という。）１４ｂと、（ｄ）屈曲部１３ｃから２次側の接続部１２に至る略水平な流路部分（以下、「第４流路部分」という。）と、を備える。
【００３９】
図３に示すように、接続具１０Ａ（１０Ｂ）の第２流路部分１４ａの略上半部を形成する壁体部分１５の内壁には雌ネジ部１５ａが設けられている。尚、この雌ネジ部１５ａは、後述する「止水栓１８」を螺進させるための部分である。また、接続具１０Ａ（１０Ｂ）において、壁体部分１５の２次の出口側の周辺の部位が、この止水栓１８の着座する弁座部１５ｂとされている。
【００４０】
図３に示すように、接続具１０Ａ（１０Ｂ）の外壁部において、第２流路部分１４ａをその軸線方向に沿って斜め下方に延出される部位には、水栓関連部品着脱部（以下、「着脱部」という。）１６が突出状に形成されている。この着脱部１６は略筒形状とされ、下端部を開口部とすると共に内部空間を屈曲部１３ｂに連通させている。また、この着脱部１６の軸心と、壁体部分１５の軸心とが同軸状に位置合わせされている。そして、この着脱部１６は、屈曲部１３ｂ及び壁体部分１５と一体となりつつ、ストレーナ付き止水栓ユニット（以下、「止水栓ユニット」と称する。）Ｕの装着部を構成している。更に、着脱部１６の内壁面には、雌ネジ部１６ｂが設けられている。
【００４１】
この止水栓ユニットＵは、図３に示すように、止水栓１８と、ストレーナＳと、蓋体１９とを備える。このうち、蓋体１９は、露呈側の端部（着脱部１６への装着時に露呈する端部）に鍔部を備えた「略円筒形状」に形成されると共に、軸心位置に操作孔１９ｃを貫通させている。更に、装着側の部分（着脱部１６への装着時に、露呈しない部位）の周面部に雄ネジ部１９ｄが形成されている。そして、この雄ネジ部１９ｄを雌ネジ部１６ｂに螺合することで、蓋体１９は、着脱部１６に着脱自在に装着される。また、この装着時において、操作孔１９ｃと壁体部分１５の軸心が同軸状に位置合わせされる。
【００４２】
止水栓１８は、軸形状に構成されると共に軸方向に沿った中間部に弁本体（パッキン等を用いて構成）１８ａを形成している。また、軸方向に沿った一端部側の外周面に雄ネジ部１８ｂを備えると共に、軸方向に沿った他端部側を操作部１８ｃとしている。尚、操作部１８ｃの端面には、工具掛け１８ｄが設けられている。そして、この止水栓１８は、雄ネジ部１８ｂを雌ネジ部１５ａに螺合し、操作部１８ｃを操作孔１９ｃに挿入した状態で、接続具１０Ａ（１０Ｂ）に組み込まれている。
【００４３】
ストレーナＳは略円筒形状に構成され、一端側の開口部が蓋体１９の裏面側（接続具１０Ａ、１０Ｂの内部に配置される側）に固定される共に、止水栓１８の外側に所定の間隔をおいて配置されている。つまり、ストレーナＳの軸心は、蓋体１９及び止水栓１８の軸心と同軸状とされている。
【００４４】
この接続具１０Ａ（１０Ｂ）では、工具掛け１８ｄに工具（マイナスドライバー等）を差し込み、止水栓１８を一方向に回転させ、止水栓１８を斜め下方（つまり、開弁方向）に螺進させると（図３の破線を参照）、弁本体１８ａが弁座部１５ｂから離脱し、弁座部１５ｂが開弁状態となる。このとき、１次側の接続部１１と、２次側の接続部１２と、が連通する。
【００４５】
一方、工具掛け１８ｄに工具を差し込み、止水栓１８を前記一方向とは逆方向に回転させ、止水栓１８を斜め上方（つまり、閉弁方向）に螺進させると、弁本体１８ａが弁座部１５ｂに着座し、弁座部１５ｂが閉弁状態となる（図３の実線を参照）。このとき、第２流路部分１４ａと第３流路部分１４ｂとが遮断された状態となるため、１次側の接続部１１と２次側の接続部１２とは、非連通な状態となる。
【００４６】
ストレーナＳのメンテナンスを行ったり、取り換えを行う場合には、蓋体１９と着脱部１６との螺合を解除し、ストレーナＳを蓋体１９と一体で着脱部１６から取り外す。このとき、止水栓１８の閉弁状態を確保しつつ、ストレーナＳ及び蓋体１９を止水栓１８から分離させることができるため、ストレーナＳのメンテナンスや取り換えを円滑に行うことができる。つまり、止水栓１８によって閉弁状態を維持した状態のまま、蓋体１９を取り外せば、ストレーナＳを作業者の手元に到達させることができる。よって、例えば、元配管３に別途、配置された止水栓等に閉弁操作を施さなくとも、このストレーナＳのメンテナンスや取り換えを行うことができるからである。
【００４７】
図１〜図３に示すように、接続具１０Ａ（１０Ｂ）の上面側の両側面には、係止用の凹部１７、１７が設けられている。これらの凹部１７、１７は、接続具１０Ａ（１０Ｂ）の前後方向に沿った中間位置において、接続具１０Ａ（１０Ｂ）の上面と、側面で開口する状態に設けられている。ここで、本実施例では、これらの凹部１７、１７を、第２流路部分１４ａを構成する壁体部分Ｈ１の外面部と、第３流路部分１４ｂを構成する壁体部分Ｈ２の外面部とを利用して形成している。
【００４８】
つまり、図３に示すように、本接続具１０Ａ（１０Ｂ）は、第２流路部分１４ａを下り傾斜状に形成するために、これを形作る壁体部分Ｈ１を、斜め下り傾斜状に構成する。また、第３流路部分１４ｂを上下に形成するために、これを形作る壁体部分Ｈ２を、上下に構成する。そして、この壁体部分Ｈ１と、壁体部分Ｈ２とで取り囲まれた空間によって、下方に凸となる「係止用の凹部１７、１７」を形成している。即ち、「内部に流路部分１４ａ、１４ｂを形成する壁体部分Ｈ１、Ｈ２」の外側の部位を用いて、係止用の凹部１７、１７を形成する。このため、本実施例では、係止用の凹部１７、１７を付加することが原因となり、接続具１０Ａ（１０Ｂ）の構造が複雑化することはない。
【００４９】
本実施例では、以上の接続具１０Ａ（１０Ｂ）が、次のように設置されている。つまり、壁部１の表面１ａ側において、給湯用の接続具１０Ａの１次側の接続部１１（つまり、一端部）の雄ねじ部１１ａを、給湯用の元配管の端末部３Ａ（アダプター３２）に対して、壁部１の表面１ａ側から螺合固定させている。これにより、給湯用の接続具１０Ａは、壁部１の表面１ａ側において壁部１に支持された状態とされる。同様に、壁部１の表面１ａ側において、給水用の接続具１０Ｂの１次側の接続部１１（つまり、一端部）の雄ねじ部１１ａを、給水用の元配管の端末部３Ｂ（アダプター３２）に対して、壁部１の表面１ａ側から螺合固定させている。これにより、給水用の接続具１０Ｂは、壁部１の表面１ａ側において壁部１に支持された状態とされる。
【００５０】
尚、何れの場合も、１次側の接続部１１の外周面には、「シールテープ」が巻き付けられ、雄ねじ部１１ａの端末部３Ａ、３Ｂ（アダプター３２）に対する螺合量が適量に調節される。このため、給湯用の接続具１０Ａ及び給水用の接続具１０Ｂを、正しい姿勢（例えば、着脱部１６の開口部が斜め下方を向いた状態）に固定することができる。
【００５１】
給湯用の接続具１０Ａの２次側の接続部１２（つまり、他端部）には、袋ナット１２ａ等を用いて、水栓本体７の給湯用の接続部７Ａが接続されている。また、給水用の接続具１０Ｂの２次側の接続部１２（つまり、他端部）には、袋ナット１２ａ等を用いて、水栓本体７の給水用の接続部７Ｂが接続されている。そして、以上のように、構成、設置された接続具１０Ａ（１０Ｂ）に対して、カバー２０Ａ（２０Ｂ）がバネ部材５０Ａ、５０Ｂを介して取り付けられている。次に、カバー２０Ａ（２０Ｂ）及びバネ部材５０Ａ、５０Ｂ等について詳細に説明する。
【００５２】
カバー２０Ａ（２０Ｂ）は、図１に示すように、略円錐台状の外形を備え、前面部２１に前方開口部２１ａを備えると共に後面部２２に後方開口部２２ａを備える。更に、底部（下部）に、メンテナンス用の開口部２３を開口させている。このカバー２０Ａ（２０Ｂ）は、１次側の接続部１１を後方開口部２２ａを通じて後方に露呈させ、２次側の接続部１２（及び袋ナット１２ａ）を前方開口部２１ａを通じて前方に露呈させされている。更に、着脱部１６及びユニットＵの下端部を、「メンテナンス用の開口部２３」を通じて斜め下方に露呈させている。そして、カバー２０Ａ（２０Ｂ）は、接続具１０Ａ（１０Ｂ）の略全域を被覆している。
【００５３】
このカバー２０Ａ（２０Ｂ）は、側辺の分割線Ｌに沿って、２つのカバー体３１、４１に分割される｛図８（ａ）参照｝。つまり、このカバー２０Ａ（２０Ｂ）は、図２に示すように、その上半部を構成する上方カバー体３１と、その下半部を構成する下方カバー体４１と、を備えている。尚、上方カバー体３１及び下方カバー体４１は、分割体の具体例を構成している。
【００５４】
上方カバー体３１は、図２及び図４に示すように、内壁面３１ａを凹面部とし、前後両端及び底面を開放部としている。この内壁面３１ａにおいて、カバー２０Ａ（２０Ｂ）の周方向に沿った中央には、後述する「バネ部材５０Ａ（５０Ｂ）」が固定される固定部３３が設けられている。この固定部３３は、上方カバー体３１の内壁面３１ａから突出する略容器形状に構成されている。そして、この固定部３３の対向する１組の壁面部のうちの一方からは、リブ３３ａが突出している。このリブ３３ａは、カバー２０Ａ（２０Ｂ）の周方向に沿った所定の間隔に設けられている。
【００５５】
上方カバー体３１は内壁面３１ａにおいて、カバー２０Ａ（２０Ｂ）の周方向に沿った両端側の位置には、当接部３４ａ、３４ｂが設けられている。これらの当接部３４ａ、３４ｂは、その突端面を略水平な面とすると共に、突端面から略円筒状のスライド突起３５ａ、３５ｂを突出させている。更に、上方カバー体３１は内壁面３１ａの４隅からは、係合用突起３６ａ〜３６ｄが突出している。
【００５６】
下方カバー体４１は、図２及び図５に示すように、内壁面４１ａを凹面部とし、前後両端及び上面を開放部としている。この内壁面４１ａにおいて、その周方向に沿った中央｛カバー２０Ａ（２０Ｂ）の底部に相当する部位｝には、前述の「メンテナンス用の開口部２３」が設けられている。また、下方カバー体４１は内壁面４１ａにおいて、カバー２０Ａ（２０Ｂ）の周方向に沿った両端側の位置からは、一対のスライド収納部４５ａ、４５ｂが、略円筒状に突出している。これらのスライド収納部４５ａ、４５ｂは、上方カバー体３１と下方カバー体４１とを組み合わせる際に、各スライド突起３５ａ、３５ｂと位置合わせ可能である。また、これらのスライド収納部４５ａ、４５ｂは、各スライド突起３５ａ、３５ｂを嵌合可能な収納空間を上方に開口させている。
【００５７】
つまり、上方カバー体３１と下方カバー体４１とを組み合わせる際に、各スライド突起を、対応するスライド収納部に嵌合状に収納すると（４５ａに３５ａを収納し、４５ｂに３５ｂを収納する。）、上方カバー体３１と下方カバー体４１との位置合わせを、正確に行うことができる構造となっている（図６参照）。
【００５８】
更に、下方カバー体４１の内壁面４１ａの４隅からも、係合用突起４６ａ〜４６ｄが突出している。これらの係合用突起４６ａ〜４６ｄは、上方カバー体３１と下方カバー体４１とを組み合わせる際に、上方カバー体３１の対応関係にある係合用突起３６ａ〜３６ｄと位置合わせ可能な位置に設けられている。つまり、図７（ａ）及び（ｂ）に示すように、上方カバー体３１と下方カバー体４１とを組み合わせたとき、上方カバー体３１及び下方カバー体４１の対応関係にある係合用突起（３６ａと４６ａ、３６ｂと４６ｂ、３６ｃと４６ｃ、３６ｄと４６ｄ）の雄型係合部３６Ａと、雌型係合部４６Ａとが係合する。これにより、上方カバー体３１及び下方カバー体４１の不用意な離脱が防止される。
【００５９】
バネ部材５０Ａ、５０Ｂは板バネを用いて構成され、図８（ｂ）及び（ｃ）に示すように、バネ本体部５１と、第１フック状部５２と、第２フック状部５３、５３とを備えている。
【００６０】
このうち、バネ本体部５１は、横長の矩形状に構成されている。また、第１フック状部５２は、バネ本体部５１の長手方向に沿った一方の側縁から屈曲状に突出している。そして、突端部を略半円状に折り返した略フック形状を備えている。更に、第２フック状部５３、５３は、バネ本体部５１の長手方向に沿った他方の側縁において、その両端から屈曲状に突出している。そして、これらの第２フック状部５３、５３も、突端部を略半円状に折り返した略フック形状を備えている。
【００６１】
以上のように構成される取付構造Ｔは、例えば、図９及び図１０に示すように施工される。即ち、図９に示すように、予め、壁部１の前方（表面１ａ側）において、両接続具１０Ａ、１０Ｂの１次側の接続部１１を、対応する元配管の端末部３Ａ、３Ｂに接続すると共に、両接続具１０Ａ、１０Ｂの２次側の接続部１２を、水栓本体７の対応する接続部７Ａ、７Ｂに接続する。つまり、水栓本体７を、壁部１の前方（表面１ａ側）において、両接続具１０Ａ、１０Ｂを介して壁部１に固定しておく。
【００６２】
この状態にて、図４（ｂ）及び図９に示すように、各接続具１０Ａ、１０Ｂ毎に、カバー２０Ａ、２０Ｂが取り付けられる。つまり、給湯側のカバー２０Ａ及び給水側のカバー２０Ｂの何れにおいても、先ず、上方カバー体３１の内壁面３１ａに、バネ部材５０Ａ、５０Ｂが固定される。具体的には、作業者が第１フック状部５２を手で掴み、その形状が潰れるように弾性変形（その曲率を増加させるように弾性変形）させた後、この第１フック状部５２をその凸部を上方に向けた状態で固定部３３内に挿入する。
【００６３】
そして、第１フック状部５２から手を離すと、第１フック状部５２に生ずる復元力（弾性変形前の状態を復元しようとする弾性力）が、第１フック状部５２から固定部３３の内壁に加えられ、第１フック状部５２、ひいては、バネ部材５０Ａ、５０Ｂが、上方カバー体３１に固定される。このとき、第１フック状部５２において、その一面部は固定部３３の平滑面に一様に当接するが、この一面部と表裏の関係にある他面部には、所定間隔で連続配置されたリブ３３ａの端面が間欠状に当接する。つまり、他面部と固定部３３との接触面積が小さくされ、しかも、接触部分が他面部の幅方向に沿って分散する。即ち、連続配置されたリブ３３ａの端面から、バネ部材５０Ａ、５０Ｂに対し、十分な大きさの圧力が、分散した位置から略均等に加わるため、第１フック状部５２は固定部３３に堅固に固定される。
【００６４】
この状態で、図９に示すように、上方カバー体３１は接続具１０Ａ、１０Ｂのに対してその上方から取り付けられ、下方カバー体４１は接続具１０Ａ、１０Ｂに対してその下方から取り付けられる。そして、上方カバー体３１と、下方カバー体４１とで、接続具１０Ａ、１０Ｂを略抱囲した状態で、上方カバー体３１及び下方カバー体４１が組み合わされる。これにより、カバー２０Ａ、２０Ｂの接続具１０Ａ、１０Ｂへの取り付けを完了する。
【００６５】
上方カバー体３１及び下方カバー体４１を組み合わせる際には、図６（ａ）及び（ｂ）に示すように、各スライド突起３５ａ、３５ｂを、対応するスライド収納部４５ａ、４５ｂにスライド収納しつつ、上方カバー体３１及び下方カバー体４１の位置合わせが行われる。そして、各スライド突起３５ａ、３５ｂの各スライド収納部４５ａ、４５ｂへのスライド収納を完了するときに、各当接部３５ａ、３５ｂの突端面（下面）と、対応する各スライド収納部４５ａ、４５ｂの上端面が当接し、それ以上のスライド収納が禁止される。このとき、上方カバー体３１の周縁部３１Ａと、下方カバー体４１の周縁部４１Ａとが当接し｛図８（ａ）参照｝、上方カバー体３１及び下方カバー体４１を組み合わせを完了する。
【００６６】
また、上方カバー体３１及び下方カバー体４１の組み合わせを完了するときに、各係合用突起３６ａ〜３６ｄと、対応する係合用突起４６ａ〜４６ｄとが係合され（図７参照）、上方カバー体３１及び下方カバー体４１の固定が行われる。
【００６７】
本実施例では、このようなカバー２０Ａ、２０Ｂの取付作業に際し、バネ本体部５１の両端部から垂下する状態の第２フック状部５３、５３が、接続具１０Ａ、１０Ｂの両「係止用の凹部１７、１７」に弾発状に係止される。つまり、上方カバー体３１を上方から下方に移動して、接続具１０Ａ、１０Ｂに取り付ける際に、両第２フック状部５３、５３を、その凸部を下方に向けつつ、凹部１７、１７内に挿入する。このとき、両第２フック状部５３、５３は、その形状が潰れるように弾性変形（その曲率を増加させるように弾性変形）しつつ、対応する係止用の凹部１７、１７内に挿入される。つまり、作業者を基準に、バネ本体部５１の左端側から垂下する第２フック状部５３は左側の凹部１７に挿入され、バネ本体部５１の右端側から垂下する第２フック状部５３は右側の凹部１７に挿入される。即ち、バネ部材５０Ａ、５０Ｂは、両第２フック状部５３、５３で接続具１０Ａ、１０Ｂを上方から跨ぐような状態に装着される。
【００６８】
各第２フック状部５３、５３の各凹部１７、１７内への挿入を完了すると、各第２フック状部５３、５３に生ずる復元力（弾性変形前の状態を復元しようとする弾性力）が凹部１７、１７の内壁に加えられる。これにより、第２フック状部５３、５３、ひいては、バネ部材５０Ａ、５０Ｂが、接続具１０Ａ、１０Ｂに係止される。このとき、上方カバー体３１は、バネ部材５０Ａ、５０Ｂを介して、接続具１０Ａ、１０Ｂに支持された状態となる。このため、上方カバー体３１に一体化される下方カバー体４１も、バネ部材５０Ａ、５０Ｂを介して、接続具１０Ａ、１０Ｂに支持された状態となる。
【００６９】
本実施例では、このカバー２０Ａ、２０Ｂの取付完了時に、図１０に示すようにバネ部材５０Ａ、５０Ｂ（特に、第２フック状部５３におけるバネ本体部５１に近接する部位５３ａ）に弾性変形を生ずる。つまり、バネ部材５０Ａ、５０Ｂのサイズや、バネ部材５０Ａ、５０Ｂの取付位置と壁部１との相対的な位置関係等を適宜、選択する。これにより、カバー２０Ａ、２０Ｂの取付完了時に、バネ部材５０Ａ、５０Ｂ（特に、第２フック状部５３におけるバネ本体部５１に近接する部位５３ａ）に、カバー２０Ａ、２０Ｂを壁部１方向に付勢（移動）させるような「弾性力（付勢力）Ｐ」を生じさせる。このため、取付完了後のカバー２０Ａ、２０Ｂは、バネ部材５０Ａ、５０Ｂの付勢力によって壁部１の表面１ａ側に押し込まれる。このとき、カバー２０Ａ、２０Ｂの後面部２２（後端部）を構成する後方開口部２２ａの全域が、壁部１の表面１ａに圧接状に密着する。そして、取付構造Ｔの施工後（取付構造Ｔの使用中）等において、カバー２０Ａ、２０Ｂの後面部２２（後端部）と壁部１の表面１ａとの間に無用の隙間を生ずることはない。
【００７０】
本取付構造Ｔによると、取付後のカバー２０Ａ、２０Ｂと壁部１との間に隙間を生ずることはない。よって、壁部１の周囲（特に、本取付構造Ｔ）の美観を向上させることができると共に、カバー２０Ａ、２０Ｂに「がたつき」を生ずることを防止できる。しかも、この取付構造Ｔは、単に、バネ部材５０Ａ、５０Ｂによって、カバー（特に、後面部２１）を壁部１に押し付けるだけの簡便の構成を利用すると共に、施工が容易である。
【００７１】
また、付勢手段を構造が簡便なバネ部材５０Ａ、５０Ｂで構成すると共に、カバー２０Ａ、２０Ｂ自体には付勢手段を設ける必要がない。よって、取付構造Ｔの構成が更に簡便なものとなる。更に、カバー２０Ａ、２０Ｂの外形を略円錐台形とし、取付構造Ｔの美観の向上を図りつつも、このカバー２０Ａ、２０Ｂを側辺に沿って分割される構造とする。つまり、このカバー２０Ａ、２０Ｂを分割型とし、その着脱作業の容易化を図りつつも、分割線Ｌの位置を、目立ち難い「側部」に配置する。しかも、カバー２０Ａ、２０Ｂに回転を加える必要がないため、分割線Ｌの位置を、確実に、目立ち難い「側部」に配置し、壁部１の周囲（特に、本取付構造Ｔ）取付構造Ｔの美観を確実に確保できる。
【００７２】
更に、本実施例では、カバー２０Ａ、２０Ｂに、「メンテナンス用の開口部２３」を備えるため、止水栓１８の操作性が向上したり、ストレーナＳのメンテナンス（交換、手入れ等）のための作業性が向上する。しかも、「メンテナンス用の開口部２３」が目立ち難い「カバー２０Ａ、２０Ｂの下部」に形成されるため、この開口部２３によって、取付構造Ｔの美観を低下させることはない。
【００７３】
尚、本各発明の範囲は前記各実施例に示す具体的な態様に限定されず、本各発明の範囲内で種々の変形例を例示できる。
【００７４】
即ち、本実施例と異なり、予め、接続具１０Ａ、１０Ｂに付勢手段（バネ部材５０Ａ、５０Ｂ）を固定若しくは係止する。この後、この接続具１０Ａ、１０Ｂにカバー２０Ａ、２０Ｂを取り付ける際に、付勢手段（バネ部材５０Ａ、５０Ｂ）をカバー２０Ａ、２０Ｂに固定若しくは係止してもよい。
【００７５】
また、本実施例と異なり、壁部１以外の設置部を対象に、各請求項の発明を適用してもよい。例えば、デッキ部（台部）から立ち上げられた接続具によって水栓本体を支持する場合において、この接続具を被覆するカバーに対して、各請求項の発明の取付構造を適用してもよい。また、元配管の端末部３Ａ、３Ｂを、壁部１の表面１ａ側（壁部１の前方）において立ち上げると共に、この元配管の端末部３Ａ、３Ｂに接続される接続具１０Ａ、１０Ｂと、これらを被覆するカバー２０Ａ、２０Ｂに対して、各請求項の発明の取付構造を適用してもよい。この場合、例えば、カバー２０Ａ、２０Ｂの後端側の下面部に、元配管の端末部３Ａ、３Ｂを通過させるための通過孔や通過用切り欠き等を設けると、カバー２０Ａ、２０Ｂの後端部を壁部１の表面１ａに対し、確実に圧接させることができる。
【００７６】
また、本実施例は、カバー２０Ａ、２０Ｂに固定部３３を１個設けた例であるが、固定部３３を複数個取付面方向に沿って設けてもよい。例えば、図１１の変形例に示すように、カバー２０Ａ、２０Ｂに対し、その取付時において、設置部１ａからの距離が異なることになる複数の固定部３３を設けてもよい（図１１では、２つの固定部３３を設ける態様を例示するが、３つ以上の固定部３３を設けてもよい。）。こうすることにより、バネ部材５０Ａ、５０Ｂをより安定した固定部３３に取り付けることができ、カバー２０Ａ、２０Ｂをバランスのとれた状態に取り付けることができる。
【００７７】
例えば、設置部１の表面１ａに接続具１０Ａ、１０Ｂが予想以上に突出していたり、後退して取り付いていたりすると、係止用の凹部１７と設置部１の表面１ａとの間の距離が長くなったり、短くなったりする。そのため、固定部３３が１個の場合、距離が短くなると、バネ部材５０Ａ、５０Ｂが嵌らなくなり、距離が長くなると、カバー２０Ａ、２０Ｂと設置部１の表面１ａの間に隙間が生じる。また、カバー２０Ａ、２０Ｂの上端部をバネ部材５０Ａ、５０Ｂが押しているので、カバー２０Ａ、２０Ｂ全体が傾いた状態になることもある。
【産業上の利用可能性】
【００７８】
本発明は、例えば、水栓の製造、販売、施工、加工等を行う分野で利用可能である。
【図面の簡単な説明】
【００７９】
【図１】実施例の取付構造を説明するための概略的な説明図である。
【図２】実施例の取付構造の分解斜視図である（但し、上方カバー体に関しては、裏返しの状態を図示している。）。
【図３】実施例の取付構造を構成する接続具の一部を破断して示す側面図である。
【図４】（ａ）は実施例の取付構造を構成する上方カバー体の底面図、（ｂ）は実施例の取付構造を構成する上方カバー体（但し、バネ部材も図示している。）の縦断面図である。
【図５】（ａ）は実施例の取付構造を構成する下方カバー体の平面図、（ｂ）は実施例の取付構造を構成する下方カバー体の縦断面図である。
【図６】（ａ）及び（ｂ）は実施例の取付構造を構成する上方カバー体及び下方カバー体のスライド構造等を説明するための説明図である。
【図７】（ａ）及び（ｂ）は実施例の取付構造を構成する上方カバー体及び下方カバー体の係合構造を説明するための説明図である。
【図８】（ａ）は実施例の取付構造の正面図、（ｂ）は実施例の取付構造を構成するバネ部材の側面図、（ｃ）は実施例の取付構造を構成するバネ部材の正面図である。
【図９】実施例の取付構造の施工方法を説明するための説明図である。
【図１０】図１の要部拡大図（縦断面図）である。
【図１１】変形例の取付構造を構成する上方カバー体の底面図である。
【符号の説明】
【００８０】
Ｔ；取付構造、
Ｓ；ストレーナ（水栓関連部品）、
Ｕ；ストレーナ付き止水栓ユニット（水栓関連部品）、
１；壁部（設置部）、
１ａ；表面、
１ｂ；裏面、
３Ａ、３Ｂ；元配管の端末部、
１０Ａ、１０Ｂ；接続具、
１８；止水栓（水栓関連部品）、
２０Ａ、２０Ｂ；カバー、
２３；メンテナンス用の開口部（開口部）、
５０Ａ、５０Ｂ；バネ部材。
【図１】
2005290663.tif 000003
【図２】
2005290663.tif 000004
【図３】
2005290663.tif 000005
【図４】
2005290663.tif 000006
【図５】
2005290663.tif 000007
【図６】
2005290663.tif 000008
【図７】
2005290663.tif 000009
【図８】
2005290663.tif 000010
【図９】
2005290663.tif 000011
【図１０】
2005290663.tif 000012
【図１１】
2005290663.tif 000013